(57)【要約】【課題】簡単な構造で、盛土補強部材の抜け出しの可能性を確実に排除することができる法面補強ユニット用連結部材、それを用いた盛土補強構造及び盛土補強工法を提供する。【解決手段】盛土の法面に設置される法面補強ユニット２，３と、盛土内に埋設される盛土補強部材６とを相互に連結するための連結部材１であって、法面補強ユニット２，３との引掛部１Ｃと、盛土補強部材６との接続部１Ｄと、その間の本体部１Ｅとからなり、引掛部１Ｃが、法面補強ユニット２，３の左右方向に伸びる形状となっており、接続部１Ｄが、上方向に折り返されて先端が本体部１Ｅまで達する形状となっている法面補強ユニット用連結部材、それを用いた盛土補強構造及び盛土補強工法。【選択図】  図４
2004263372.tif 000002
【特許請求の範囲】
【請求項１】
盛土の法面に設置される法面補強ユニット（２，３）と、盛土内に埋設される盛土補強部材（６）とを相互に連結するための連結部材（１）であって、法面補強ユニット（２，３）との引掛部（１Ｃ）と、盛土補強部材（６）との接続部（１Ｄ）と、その間の本体部（１Ｅ）とからなり、引掛部（１Ｃ）が、法面補強ユニット（２，３）の左右方向に伸びる形状となっており、接続部（１Ｄ）が、上方向に折り返されて先端が本体部（１Ｅ）まで達する形状となっていることを特徴とする法面補強ユニット用連結部材。
【請求項２】
複数の縦棒（１Ａ）の隣り合う一端同士を横棒（１Ｂ）で固定して引掛部（１Ｃ）とすると共に、他端をそれぞれ円状に折り曲げて接続部（１Ｄ）としたことを特徴とする請求項１に記載の法面補強ユニット用連結部材。
【請求項３】
複数の縦棒（１Ａ）の一端のそれぞれを横棒（１Ｂ）の上側から下側に巻き込んで固定したことを特徴とする請求項２に記載の法面補強ユニット用連結部材。
【請求項４】
請求項１から３のいずれか１項に記載の連結部材（１）と、側面視がＬ字状の法面補強ユニット（２，３）と、法面補強ユニット（２，３）のＬ字状の縦辺部と底辺部との間を連結し補強するテンションバー（５）と、網目状の盛土補強部材（６）とからなり、法面補強ユニット（２，３）の縦辺部の開口部（２Ａ，３Ａ）に連結部材の本体部（１Ｅ）が挿入され、連結部材の接続部（１Ｄ）に盛土補強部材（６）の網目（６Ａ）が挿入されていることを特徴とする盛土補強構造。
【請求項５】
連結部材の接続部（１Ｄ）が、法面補強ユニット（２，３）とテンションバー（５）とで構成される三角形の内側に位置することを特徴とする請求項４に記載の盛土補強構造。
【請求項６】
連結部材の接続部（１Ｄ）に挿入された盛土補強部材（６）の網目（６Ａ）の上面と、接続部（１Ｄ）の内面とでできた隙間に、連結棒（７）が差し込まれていることを特徴とする請求項４又は５に記載の盛土補強構造。
【請求項７】
請求項１から３のいずれか１項に記載の連結部材（１）を用いた盛土補強工法であって、下段となる法面補強ユニット（２）の内側に、上端の開口部（２Ａ）を残して土砂を盛った後、上段となる法面補強ユニット（３）の下端の開口部（３Ａ）を、下段の法面補強ユニット（２）の内側で、かつ、開口部（２Ａ，３Ａ）同士を一致させて設置し、続いて、外側から連結部材（１）の本体部（１Ｅ）を両開口部（２Ａ，３Ａ）に挿入して上下の法面補強ユニット（２，３）を連結することで、順次法面補強ユニット（２，３）を重ね合わせて盛土を構築することを特徴とする盛土補強工法。
【発明の詳細な説明】
【０００１】
【発明の属する技術分野】
本発明は、盛土の形状を保つために盛土法面に設置される法面補強ユニットの連結部材、それを用いた盛土補強構造及び盛土補強工法に関するものである。
【０００２】
【従来の技術】
従来から、盛土の崩壊を防ぐために、各種の盛土補強構造が採用されている。特に、法面補強ユニットを配置して法面の形状を維持する盛土補強構造は、盛土の安定と法面の緑化及び保護を一体化することができるので、近年、数多く採用されている。すなわち、図６に示すように、エキスパンドメタル等からなる法面補強ユニット１２と、ジオテキスタイルと呼ばれる盛土補強部材１６によって盛土を補強するのである。そして、法面補強ユニット１２と盛土補強部材１６との連結には、図７に示すような連結部材１１を使用し、山形又は半円形に折れ曲がった接続部１１Ｄで固定していた（例えば、特許文献１参照。）。
【０００３】
【特許文献１】
特開２００１−１１８６５号公報  （第４頁、図４）
【０００４】
【発明が解決しようとする課題】
しかしながら、図７（Ａ）及び図７（Ｂ）に示す山形の接続部１１Ｄでは、盛土補強部材１６が抜け出さないように、盛土補強部材１６の上面と接続部１１Ｄの山形の内面とでできた隙間に、必ず連結棒１７を差し込まなければならない。一方、図７（Ｃ）及び図７（Ｄ）に示す半円形の接続部１１Ｄでは、連結棒は不要となるが、土圧等によって盛土補強部材１６が強く引っ張られた場合、接続部１１Ｄの半円形が開いて直線的になり、盛土補強部材１６が抜け出しやすくなるという可能性があった。
【０００５】
そこで本発明は、簡単な構造で、盛土補強部材の抜け出しの可能性を確実に排除することができる法面補強ユニット用連結部材、それを用いた盛土補強構造及び盛土補強工法を提供することを目的とするものである。
【０００６】
【課題を解決するための手段】
本発明は、以上の課題を解決するためになされたものであって、その要旨は、法面補強ユニットとの引掛部と、盛土補強部材との接続部と、その間の本体部とからなり、引掛部が、法面補強ユニットの左右方向に伸びる形状となっており、接続部が、上方向に折り返されて先端が本体部まで達する形状となっている法面補強ユニット用連結部材に係るものであり、好ましくは、複数の縦棒の隣り合う一端同士を横棒で固定して引掛部とすると共に、他端をそれぞれ円状に折り曲げて接続部とし、より好ましくは、複数の縦棒の一端のそれぞれを横棒の上側から下側に巻き込んで固定した法面補強ユニット用連結部材に係るものである。
【０００７】
又、上記の連結部材と、側面視がＬ字状の法面補強ユニットと、法面補強ユニットのＬ字状の縦辺部と底辺部との間を連結し補強するテンションバーと、網目状の盛土補強部材とからなり、法面補強ユニットの縦辺部の開口部に連結部材の本体部が挿入され、連結部材の接続部に盛土補強部材の網目が挿入されている盛土補強構造に係るものであり、好ましくは、連結部材の接続部が、法面補強ユニットとテンションバーとで構成される三角形の内側に位置する盛土補強構造に係るものである。なお、連結部材の接続部に挿入された盛土補強部材の網目の上面と、接続部の内面とでできた隙間には、連結棒が差し込まれていてもよい。
【０００８】
更に、上記の連結部材を用いた盛土補強工法であって、下段となる法面補強ユニットの内側に、上端の開口部を残して土砂を盛った後、上段となる法面補強ユニットの下端の開口部を、下段の法面補強ユニットの内側で、かつ、開口部同士を一致させて設置し、続いて、外側から連結部材の本体部を両開口部に挿入して上下の法面補強ユニットを連結することで、順次法面補強ユニットを重ね合わせて盛土を構築する盛土補強工法に係るものである。
【０００９】
【発明の実施の形態】
本発明において、連結部材は、盛土の法面に設置される法面補強ユニットと、盛土内に埋設される盛土補強部材とを相互に連結するためのものである。ここで法面補強ユニットとは、盛土の形状を保つために盛土の法面に設置され、上下左右に連結されて盛土を補強するものである。又、盛土補強部材とは、盛土自体の補強のために敷設され、盛土中に埋設される網目状の合成樹脂からなるものである。
【００１０】
連結部材としては、例えば、複数の縦棒の隣り合う一端同士を横棒で固定して一組とし、その横棒を左右方向に伸びる引掛部とする。又、他端をそれぞれ上方向に円状に折り曲げて、先端が本体部まで達するようにして接続部とする。そして、上下の法面補強ユニットは、その外側から連結部材の本体部を開口部に挿入して連結するのである。すなわち、法面補強ユニットの法面部は一般に網部材から構成されるので、上下端を含めて複数の開口部を有している。そこで、上段となる法面補強ユニットの下端の開口部と、下段となる法面補強ユニットの上端の開口部とを一致させて一つの開口部とし、この開口部に外側から連結部材の接続部、本体部の順に挿入すれば、左右方向に伸びる引掛部が法面補強ユニットの網目の重なり部分に引っ掛かり、上下の法面補強ユニットが連結されるのである。
【００１１】
尚、引掛部は縦棒の一端に横棒を単純に溶接したり、縦棒の一端を横棒の上側から下側に巻き込んで固定等するだけでなく、縦棒の先端を左方又は右方に折り曲げたり、別部材を回動可能とした接続、打ち抜き等によって左右方向に伸ばすことにより、法面補強ユニットの網目に引っ掛かるようにすればよい。又、引掛部は開口部の開口ピッチに一対一に、或いは数個おきに合致させて複数設ける。
【００１２】
一方、連結部材の他端は盛土補強部材との接続部となされている。接続部の形状は、上方向に折り返されて先端が本体部まで達している形状（例えば円状）とする。そして、盛土補強部材の網目を上方から接続部に挿入し、折り返された先端に網目を引っ掛けることによって、盛土補強部材を抜けないように接続するのである。従って、本発明の連結部材によれば、土圧等によって盛土補強部材が強く引っ張られた場合、接続部の折り返しをきつくする方向（円状ならばその直径を小さくする方向）に引張力が作用するので、接続部の折り返しが開くことはなく、盛土補強部材の抜け出しの可能性が確実に排除される。
【００１３】
尚、折り返された先端は盛土補強部材が引っ掛かればよく、必ずしも本体部と接触していなくてもよい。又、法面補強ユニットと盛土補強部材との連結を一層確実なものとし、盛土補強部材が連結部材の接続部の上からも抜けないようにするため、盛土補強部材の網目の上面と接続部の内面とでできた隙間に、連結棒を差し込むこともできる。
【００１４】
又、本発明の連結部材を使用することによって、簡単に盛土補強構造を構築することができる。すなわち、側面視がＬ字状の法面補強ユニットを上記した通り上下に連結すると共に、盛土補強部材を接続し、法面補強ユニットのＬ字状の縦辺部と底辺部との間をテンションバーで連結するのである。ここで、テンションバーを使用するのは、テンションバーによって法面補強ユニットが全体として側面視で三角形を形成することになり、土圧等に対して強度的に優れたものとなるからである。但し、連結部材の接続部は、法面補強ユニットとテンションバーとで構成される三角形の内側に位置させることが好ましい。特別な工夫をすることなく、連結部材の接続部とテンションバーとの干渉が防止できるからである。
【００１５】
ここで、法面補強ユニットとしては、各種の網部材を使用することができる。すなわち、メッキ又は樹脂コーティング等を行なって製造された溶接金網、線材の交差部分をねじり合わせ状に接続することにより構成した亀甲金網、ひし形金網、その他エキスパンドメタル等の金網類、又はグレーチング等の各種格子部材であるが、中でも、エキスパンドメタルを折り曲げて側面視をＬ字状としたものを使用することが好ましい。簡単に自立させることができ、強度的にも優れた法面補強ユニットを経済的に得ることができるからである。この場合、連結部材が挿入される開口部は、上端又は下端に位置する網目となる。
【００１６】
尚、網目によっては法面補強ユニット自体で法面を緑化することも可能であるが、網目が大きい場合やより迅速に緑化したい場合には、内側に植生シートを配設してやればよい。この場合、植生シートは法面補強ユニットの網目より目の細かいものとすることで、盛土の安定と法面の緑化及び保護を一体化する。又、法面補強ユニットの内側には不織布等からなる盛土保持部材を設置することが好ましい。
【００１７】
次に、上記した連結部材を用いた盛土補強工法について説明する。まず、法面補強ユニットのＬ字状の底辺部を使って法面補強ユニットを自立させ、法面補強ユニットの内側に概略２５ｃｍから３０ｃｍ毎に土を積層し、振動ローラ等で転圧して最下段の法面補強ユニットを設置する。この時、法面補強ユニットの上端の開口部だけ残して土を積層しておく。
【００１８】
続いて、最下段の法面補強ユニットの内側であって、積層した土の上に、上段の法面補強ユニットを自立させる。この時、上下の法面補強ユニットの開口部を一致させておく。そして、開口部の外側から連結部材の接続部及び本体部の順に挿入することで、引掛部を介して上下の法面補強ユニットを連結する。その後、連結部材の接続部に盛土補強部材を固定し、連結部材の引掛部に緩みが生じないように盛土補強部材を引っ張っておく。最後に、上段の法面補強ユニットの内側及び盛土補強部材の上に土を積層し、上記と同様の方法を繰り返すことによって補強された盛土を構築するのである。
【００１９】
【実施例】
以下、本発明の好ましい実施の形態の具体例を図面に基づいて説明する。図１は、本発明の法面補強ユニット用連結部材の一例を示す斜視図である。図１に示すように、連結部材１は、縦棒１Ａと横棒１Ｂとを交差させて溶接したものであって、複数の縦棒１Ａの隣り合う一端同士を固定する横棒１Ｂが、図示しない法面補強ユニットの左右方向に伸びる引掛部１Ｃとなっている。又、縦棒１Ａの間隔は、法面補強ユニットの開口部に一対一に対応した寸法となっている。一方、縦棒１Ａの他端は、上方向に折り返されて先端が本体部１Ｅまで達しており、円状に折り曲げられた接続部１Ｄとなっている。
【００２０】
図２は、本発明の法面補強ユニット用連結部材の他の例を示す斜視図である。図２に示す例の連結部材は、図１の連結部材のように縦棒の一端に横棒を単純に溶接して引掛部とするのではなく、複数の縦棒１Ａの一端のそれぞれを横棒１Ｂの上側から下側に巻き込んで溶接固定したものである。従って、図２の連結部材にあっては、引掛部１Ｃの部分がより強固なものとなっている。
【００２１】
図３及び図４は、図１に示す実施例の連結部材１を用いて下段の法面補強ユニット２と上段の法面補強ユニット３とを連結する方法を示す断面図である。図３において、まず、エキスパンドメタルを折り曲げて側面視がＬ字状となるようにした下段の法面補強ユニット２を地盤４上に自立させる。同時に、側面視がＳ字状のテンションバー５を法面補強ユニット２のＬ字状の縦辺部と底辺部との間にそれぞれ引っ掛けて補強とする。尚、テンションバー５は、法面補強ユニット２の幅方向に２ｍ間隔で３〜４本取り付けておく。
【００２２】
次に、法面補強ユニット２の内側に、上端の開口部２Ａを残して盛土する（便宜上、盛土は図示しない）。その後、盛土上に同様に法面補強ユニット３を自立させる。この時、法面補強ユニット２の開口部２Ａと法面補強ユニット３の開口部３Ａとが一致するようにしておく。尚、テンションバー５も上記と同様に取り付けておく。
【００２３】
続いて、開口部２Ａ及び３Ａの外側から、連結部材１の接続部１Ｄ及び本体部１Ｅを矢印のように挿入する（接続部１Ｄの高さＨは、開口部２Ａ及び３Ａの開口幅Ｗよりも低い）。すると、引掛部１Ｃが開口部２Ａ及び３Ａの下部に引っ掛かり、法面補強部材２と法面補強部材３とが連結される。
【００２４】
又、図４において、連結部材１の接続部１Ｄには盛土補強部材６の一端が固定されている。一方、盛土補強部材６の他端は盛土上に図示しないアンカーで固定されている。従って、連結部材１の引掛部１Ｃは開口部２Ａの下部に当接した状態となり、法面補強部材２及び法面補強部材３は引掛部１Ｃと盛土との間で強固に固定され、連結されるのである（但し、図４では便宜上、引掛部１Ｃ、法面補強ユニット２、法面補強ユニット３の間を当接させていない）。
【００２５】
図５は、図１に示す実施例の連結部材１に、網目状の合成樹脂製の盛土補強部材６を固定した状態を示す側面図及び上面図である。すなわち、図５（Ａ）及び図５（Ｂ）に示すように、連結部材１の接続部１Ｄに盛土補強部材６の網目６Ａをかぶせて嵌め込んで固定する。すると、網目６Ａが円状の接続部１Ｄの先端側に引っ掛かるようになる。この状態で、盛土補強部材６が土圧等によって引っ張られると、円状の接続部１Ｄの直径を小さくする方向に引張力が作用する。従って、接続部１Ｄの折り返しが開いてしまうことはなく、盛土補強部材６が抜け出るようなことはない。又、図５（Ｃ）及び図５（Ｄ）に示すように、盛土補強部材６の網目６Ａの上面と連結部材１の接続部１Ｄの内面とでできた隙間に連結棒７を差し込んで、盛土補強部材６が接続部１Ｄの上から抜けないようにすることもできる。
【００２６】
尚、法面補強ユニットとしては、エキスパンドメタルの他に、線径φ６ｍｍの金属丸棒を所定の位置にセットして全体を格子状に溶接し、メッキ又は樹脂コーティングを行なって製造された溶接金網、線径が４．０ｍｍで網目が１００ｍｍ（横方向の対角線長さは１６０ｍｍ）のひし形金網、線径が４．０ｍｍや３．２ｍｍで網目が８０ｍｍや１００ｍｍの亀甲金網等を使用することもできる。
【００２７】
又、盛土補強部材としては、ポリエステル糸を格子状に組み合わせて特殊合成樹脂をコーティングしたネット型シート等が使用できる。ネット型シートは網目構造のため、軟弱地盤や盛土とのなじみもよく、又、上下の土砂が適度に混合して大きな摩擦抵抗を発揮できるものである。更に、強度が高く軽量で耐候性を併せ持つものであるため、省力化、省コスト化が可能であり、盛土補強工事に最適なものである。
【００２８】
【発明の効果】
以上説明したように、本発明の法面補強ユニット用連結部材は、法面補強ユニットとの引掛部と、盛土補強部材との接続部と、その間の本体部とからなり、引掛部が、法面補強ユニットの左右方向に伸びる形状となっており、接続部が、上方向に折り返されて先端が本体部まで達する形状となっているので、簡単な構造で、盛土補強部材の抜け出しの可能性を確実に排除することができる。又、本発明の法面補強ユニット用連結部材を使用することにより、施工が簡単で信頼性に特に優れた盛土補強構造及び盛土補強工法とすることができる。
【図面の簡単な説明】
【図１】図１は、本発明の法面補強ユニット用連結部材の一例を示す斜視図である。
【図２】図２は、本発明の法面補強ユニット用連結部材の他の例を示す斜視図である。
【図３】図３は、図１に示す実施例の連結部材を使用して上下の法面補強ユニットを連結する方法を示す断面図である。
【図４】図４は、図１に示す実施例の連結部材を使用して上下の法面補強ユニットを連結した状態を示す断面図である。
【図５】図５は、図１に示す実施例の連結部材に盛土補強部材を接続した状態を示す側面図及び上面図である。
【図６】図６は、盛土補強構造の例を示す斜視図である。
【図７】図７は、従来の法面補強ユニット用連結部材を示す斜視図である。
【符号の説明】
１‥連結部材
１Ａ‥縦棒
１Ｂ‥横棒
１Ｃ‥引掛部
１Ｄ‥接続部
１Ｅ‥本体部
２‥下段の法面補強ユニット
２Ａ‥開口部
３‥上段の法面補強ユニット
３Ａ‥開口部
４‥地盤
５‥テンションバー
６‥盛土補強部材
６Ａ‥網目
７‥連結棒
１１‥連結部材
１１Ｄ‥接続部
１２‥法面補強ユニット
１６‥盛土補強部材
１６Ａ‥網目
１７‥連結棒
Ｈ‥接続部の高さ
Ｗ‥開口幅
【図１】
2004263372.tif 000003
【図２】
2004263372.tif 000004
【図３】
2004263372.tif 000005
【図４】
2004263372.tif 000006
【図５】
2004263372.tif 000007
【図６】
2004263372.tif 000008
【図７】
2004263372.tif 000009